(57)【要約】  本発明は、少なくとも１つの自由縁を備えたラップ材と、パーソナルケア吸収体物品と、自由縁の位置についての指示を与える感覚的表示と、を含むパーソナルケア製品を提供する。一実施形態においては、ラップ材はラップ構成材であり、第１パネルと、バックパネルと、第２パネルとを含み、第１パネルはバックパネルに接続され、第２パネルは第１パネルがバックパネルに接続された端部とは反対側の端部でバックパネルに接続される。第２パネルは第１パネルに隣接して位置する自由縁を有し、第２パネルは該第２パネルの自由縁で終わる第１組の感覚的特性を有し、第１パネルは第２パネルの自由縁に隣接する第２組の感覚的特性を有する。本発明においては、第１組の感覚的特性からの少なくとも１つの特性又は第２組の感覚的特性からの少なくとも１つの特性は、他方の組からの特性とは異なっている。異なる特性は、第２パネルと第１パネルとの間に対比を与え、この対比が、第２パネルの自由縁の位置についての明確な指示を与える感覚的表示をもたらす。また、パーソナルケア製品及びラップ材を使用する方法が提供される。感覚的表示はまた、ユーザにラップ材の開け方を示すために用いることができる。
2007521117.tif 000002
【特許請求の範囲】
【請求項１】
パーソナルケア製品であって、
少なくとも１つの自由縁を有する少なくとも１つのラップ材と、
前記ラップ材の中に配置された少なくとも１つのパーソナルケア物品と、
前記ラップ材の前記少なくとも１つの自由縁の位置についての明確な指示を与える少なくとも１つの感覚的表示と、
を含むパーソナルケア製品。
【請求項２】
前記ラップ材が、第１パネルと、バックパネルと、第２パネルとを含むラップ構成材からなり、前記第１パネルは前記バックパネルに接続され、前記第２パネルは、前記第１パネルが前記バックパネルに接続された端部とは反対側の端部で前記バックパネルに接続され、かつ前記第１パネルに隣接して位置する自由縁を有し、前記第２パネルは該第２パネルの自由縁で終わる第１組の感覚的特性を有し、前記第１パネルは前記第２パネルの自由縁に隣接する第２組の感覚的特性を有し、前記第１組の感覚的特性からの少なくとも１つの特性又は前記第２組の感覚的特性からの少なくとも１つの特性は、他方の組からの特性とは異なっており、前記異なる特性は、前記第２パネルと前記第１パネルとの間に対比を与え、前記対比が、前記第２パネルの自由縁の位置についての明確な指示を与える感覚的表示をもたらすことを特徴とする請求項１に記載のパーソナルケア製品。
【請求項３】
前記感覚的表示が、視覚的表示、触覚的表示、又は視覚的表示との組み合わせを含むことを特徴とする請求項２に記載のパーソナルケア製品。
【請求項４】
前記第１組の感覚的特性が、第１の色、第１の印刷パターン又は第１のエンボス加工パターンを含み、前記第２組の感覚的特性が、第２の色、第２の印刷パターン又は第２のエンボス加工パターンを含むことを特徴とする請求項２に記載のパーソナルケア製品。
【請求項５】
前記自由縁が前記第１パネルの少なくとも一部に重なることを特徴とする請求項２に記載のパーソナルケア製品。
【請求項６】
前記第１組の感覚的特性が第１の色を含み、前記第２組の感覚的特性が前記第１の色とは異なる第２の色を含むことを特徴とする請求項４に記載のパーソナルケア製品。
【請求項７】
前記第１組の感覚的特性及び前記第２組の感覚的特性の少なくとも一方が、エンボス加工パターン又は印刷パターンを含むことを特徴とする請求項２に記載のパーソナルケア製品。
【請求項８】
前記第１組の感覚的特性が第１のエンボス加工パターン又は印刷パターンを含み、前記第２組の感覚的特性が第２のエンボス加工パターン又は印刷パターンを含み、前記第２のパターンは前記第１のパターンとは異なるパターンであることを特徴とする請求項７に記載のパーソナルケア製品。
【請求項９】
前記第１組の感覚的特性及び前記第２組の感覚的特性の一方のみが、エンボス加工パターン又は印刷パターンを含み、他方の組の感覚的特性はエンボス加工パターン又は印刷パターンをもたないことを特徴とする請求項７に記載のパーソナルケア製品。
【請求項１０】
各パターンが印刷されていることを特徴とする請求項８に記載のパーソナルケア製品。
【請求項１１】
前記パターンが印刷されていることを特徴とする請求項９に記載のパーソナルケア製品。
【請求項１２】
各パターンがエンボス加工されることを特徴とする請求項８に記載のパーソナルケア製品。
【請求項１３】
前記パターンがエンボス加工されることを特徴とする請求項９に記載のパーソナルケア製品。
【請求項１４】
前記第１組の感覚的特性及び前記第２組の感覚的特性の前記少なくとも一方が、前記自由縁に向けられた矢印形状を有することを特徴とする請求項２に記載のパーソナルケア製品。
【請求項１５】
前記第１組の特性が、非直線形の形状を有する第２パネルの自由縁を含むことを特徴とする請求項２に記載のパーソナルケア製品。
【請求項１６】
前記非直線形の形状が、Ｖ字形状、波形又はスカラップ形の形状を含むことを特徴とする請求項１５に記載のパーソナルケア製品。
【請求項１７】
前記第１組の特性と前記第２組の特性との間で異なる少なくとも１つの付加的な特性をさらに含むことを特徴とする請求項１６に記載のパーソナルケア製品。
【請求項１８】
前記第２パネルが第１材料を含み、前記第１パネルが第２材料を含み、前記第１材料が前記第２材料とは異なっていることを特徴とする請求項２に記載のパーソナルケア製品。
【請求項１９】
前記ラップ材が、第１側及び第２側を有する材料からなり、前記各々の側が感覚的特性を有し、前記第１側の少なくとも１つの感覚的特性が前記第２側とは異なり、前記第１側が前記ラップ材の外面を含むことを特徴とする請求項２に記載のパーソナルケア製品。
【請求項２０】
前記第２パネルの外面の一部がそれ自体に隣接し、前記第２側のラップ構成材が露出するように前記第２パネルの自由縁を該第２パネルの上に折りたたみ、前記ラップ構成材の第２側を、前記ラップ材の前記第１パネルの外面上に存在する前記ラップ材の第１側と対比させることを特徴とする請求項１９に記載のパーソナルケア製品。
【請求項２１】
前記第２パネルが、前記パネルに隣接する前記第２パネルの一部に直線形以外の形状を与えるような形に折りたたまれることを特徴とする請求項２０に記載のパーソナルケア製品。
【請求項２２】
前記形状がＶ字形を含むことを特徴とする請求項２１に記載のパーソナルケア製品。
【請求項２３】
前記感覚的表示はまた、パーソナルケア製品のユーザに前記ラップ構成材の開け方についての指示を与えることを特徴とする請求項２に記載のパーソナルケア製品。
【請求項２４】
前記感覚的表示はまた、パーソナルケア製品のユーザに前記ラップ構成材の開け方についての指示を与えることを特徴とする請求項１４に記載のパーソナルケア製品。
【請求項２５】
前記第２パネルがフラップを含むことを特徴とする請求項２に記載のパーソナルケア製品。
【請求項２６】
少なくとも１つの付加的なパネルをさらに含むことを特徴とする請求項２に記載のパーソナルケア製品。
【請求項２７】
前記感覚的特性の１つが、色のグラデーション又は段階的なエンボス加工を含むことを特徴とする請求項２に記載のパーソナルケア製品。
【請求項２８】
パーソナルケア製品であって、
少なくとも１つの自由縁を有する少なくとも１つのラップ材と、
前記ラップ材の中に配置された少なくとも１つのパーソナルケア物品と、
前記ラップ材の開け方についての明確な指示を与える少なくとも１つの感覚的表示と、
を含むパーソナルケア製品。
【請求項２９】
前記感覚的表示がまた、前記自由縁の位置についての明確な指示を与えることを特徴とする請求項２８に記載のパーソナルケア製品。
【請求項３０】
パーソナルケア製品を使用する方法であって、
ラップ構成材に配置されたパーソナルケア物品を用意し、前記ラップ構成材は、自由縁と前記ラップ材の前記自由縁の位置についての明確な指示を与える感覚的表示とを有し、
前記感覚的表示を用いて前記自由縁を見つけ出し、
前記第２パネルを操作し、前記ラップ構成材を開いて、前記パーソナルケア製品構成材にアクセスする、
ことを含む方法。
【請求項３１】
前記ラップ構成材が、第１パネルと、バックパネルと、第２パネルとを含み、前記第１パネルは前記バックパネルに接続され、前記第２パネルは、前記第１パネルが前記バックパネルに接続された端部とは反対側の端部で前記バックパネルに接続され、かつ前記第１パネルに隣接して位置する自由縁を有し、前記第２パネルは該第２パネルの自由縁で終わる第１組の感覚的特性を有し、前記第１パネルは前記第２パネルの自由縁に隣接する第２組の感覚的特性を有し、前記第１組の感覚的特性からの少なくとも１つの特性又は前記第２組の感覚的特性からの少なくとも１つの特性は、他方の組からの特性とは異なっており、前記異なる特性は、前記第２パネルと前記第１パネルとの間に対比を与え、前記対比が、前記第２パネルの自由縁の位置についての明確な指示を与える感覚的表示をもたらすことを特徴とする請求項３０に記載の方法。
【請求項３２】
前記製品構成材が吸収体製品構成材を含むことを特徴とする請求項３１に記載の方法。
【請求項３３】
前記第２パネルが異なる感覚的特性を含み、前記感覚的表示が視覚的表示であることを特徴とする請求項３２に記載の方法。
【請求項３４】
前記第１パネルが異なる感覚的特性を含み、前記感覚的表示が視覚的表示であることを特徴とする請求項３２に記載の方法。
【請求項３５】
前記第１組の感覚的特性が第１の色を含み、前記第２組の感覚的特性が前記第１の色とは異なる第２の色を含むことを特徴とする請求項３２に記載の方法。
【請求項３６】
前記第１組の感覚的特性が第１のエンボス加工パターン又は印刷パターンを含み、前記第２組の感覚的特性が第２のエンボス加工パターン又は印刷パターンを含み、前記第２のパターンは前記第１のパターンとは異なるパターンであることを特徴とする請求項３２に記載の方法。
【請求項３７】
前記第１組の感覚的特性及び前記第２組の感覚的特性の前記少なくとも一方が、前記自由縁に向けられた矢印形状を有することを特徴とする請求項３２に記載の方法。
【請求項３８】
前記ラップ材が、第１側及び第２側を有する材料からなり、前記各々の側が感覚的特性を有し、前記第１側の少なくとも１つの感覚的特性が前記第２側とは異なり、前記第１側が前記ラップ材の外面を含むことを特徴とする請求項３２に記載の方法。
【請求項３９】
前記第２パネルの外面の一部がそれ自体に隣接し、前記第２側のラップ構成材が露出するように前記第２パネルの自由縁を該第２パネルの上に折りたたみ、前記ラップ構成材の第２側を、前記ラップ材の前記第１パネルの外面上に存在する前記ラップ材の第１側と対比させることを特徴とする請求項３８に記載の方法。
【請求項４０】
前記操作することが、前記第２パネルをつかみ、ひっぱることを含む、請求項３１に記載の方法。
【発明の詳細な説明】
【技術分野】
【０００１】
本発明は、一般に、パーソナルケア製品に関し、特に、ユーザがラップ構成材を開封する一助とするためにラップ構成材の一部に向けられた感覚的表示を有するパーソナルケア製品のラップ構成材に関する。
（関連出願）
本出願は、２００３年１２月３０日に出願された米国特許出願第１０／７５０，４２４号の部分継続出願であり、米国特許出願第１０／７５０，４２４号の出願日に基づく優先権を主張するものである。
【背景技術】
【０００２】
パンティライナ、婦人用ナプキン、及びタンポンは、必要とされるまでハンドバック、バックパック、ブリーフケースなどに入れて持ち運ばれることが多い。典型的には、物品は、ハンドバック、バックパック、ブリーフケースなどに入れられ、それにより、それらは固定されず、ハンドバック、バックパック、ブリーフケースなどの中で、そこに入っている他のアイテムと共に自由に動く。残念なことに、ハンドバック、バックパック、ブリーフケースなどは、物品のために衛生的な環境を常に与えるものではなく、そのため物品は、汚れ、及び／又は損傷することがある。さらに、物品は、ハンドバック、バックパック、ブリーフケースなどの中で散乱することがあり、そのため、それらは必要なときに見つけるのが困難なことがある。
これまでは、幾つかの吸収体物品をまとめて保持するために専用に設計されたポーチが流通してきた。これらのポーチは、物品と衛生的でない可能性がある環境との接触を減少させ、必要なときに物品を見つけやすくする。これらのポーチは、厚いビニールのような耐久性の或る材料から作られ、そのため、それらは再使用可能であるが、再使用するにはポーチにその時々に詰め替えしなければならない。さらに、ポーチは、長期にわたって用いた後には衛生的でなくなることが多く、それらを洗浄するか又は廃棄して取り替えることを必要とする。
【０００３】
上述の問題を回避するために、例えば、婦人用パッド、タンポン及びパンティライナを含むパーソナルケア物品は、多くの場合、ポーチを閉じるフラップを有するポーチ又はそれに類似のラップ材に個々にラップされる。典型的には、こうしたポーチは、無色であり、又はラップ材の全てにわたるパターンを有する。したがって、フラップはラップ材の他の部分と見分けられないので、ユーザがポーチを開けるためにフラップを見つけ出すのは困難なことがある。
フラップの縁を見つけ出す際の問題を回避するために、これまでのポーチには、ユーザにポーチの開口部の位置を示すために、フラップの端部の付近に「ここから開けてください」との言葉が記されている。しかしながら、フラップに「ここから開けてください」といった言葉や文字があるのは、ポーチがもつ美的な価値を下げる。さらに、特定の言語の言葉を入れることにより、使用されている言語を解読できないユーザには、ポーチの開封フラップの位置を示すことができない。フラップを見つけ出す際の問題は、視力の弱いユーザにとってはより顕著である。したがって、ポーチのフラップの端部に言葉を入れることは、視力障害をもつ人に、フラップの位置を見つけ出して開けるための感覚的表示を与えない。
【０００４】
ポーチのフラップの端部にユーザの注意を向けるための他の試みが用いられている。それは、縁を強調するためにフラップの縁に縁取りの色をつけることを含む。一般に、これは、図１０Ａ及び図１０Ｂに示されるように、フラップの縁に沿って異なる色の狭い帯を入れることによってなされる。しかしながら、色の付いた縁の上のフラップの色又はパターンがフラップの下の前パネルの色と同じであるならば、フラップの縁をパネルと区別するのは依然として困難であることが多い。こうしたフラップ上の指示は、ユーザがラップ材を最初に見て学習して、フラップの自由端の位置を確かめることを必要とする場合が多い。
当該技術分野では、ラップ材に美的に優れた外観を提供しながら、ラップ構成材にラップされた吸収体製品のユーザにラップ材の開口部が位置している場所及びラップ材の開け方をはっきり伝える方法が必要とされている。
【発明の開示】
【０００５】
おおまかに述べると、本発明は、少なくとも１つの自由縁を備えた少なくとも１つのラップ材と、ラップ材の中に配置された少なくとも１つのパーソナルケア物品と、ラップ材の少なくとも１つの自由縁の位置についての明確な指示を与える少なくとも１つの感覚的表示と、を含むパーソナルケア製品を提供する。
本発明の別の態様においては、本発明はまた、ラップ構成材とパーソナルケア吸収体物品とを含むパーソナルケア製品を提供する。ラップ材は、第１パネルと、バックパネルと、第２パネルとを含み、第１パネルはバックパネルに接続され、第２パネルは第１パネルがバックパネルに接続された端部とは反対側の端部でバックパネルに接続される。第２パネルは第１パネルに隣接して位置する自由縁を有し、第２パネルは該第２パネルの自由縁で終わる第１組の感覚的特性を有し、第１パネルは第２パネルの自由縁に隣接する第２組の感覚的特性を有する。本発明においては、第１組の感覚的特性からの少なくとも１つの特性又は第２組の感覚的特性からの少なくとも１つの特性は、他方の組からの特性とは異なっている。異なる特性は、第２パネルと第１パネルとの間に対比を与え、この対比が、第２パネルの自由縁の位置についての明確な指示を与える感覚的表示をもたらす。ラップ構成材は、２つより多いパネルを有することができる。一実施形態においては、第２パネルはフラップとすることができる。
【０００６】
本発明の別の態様は、自由縁の位置についての指示と、ラップ材の中の吸収体物品にアクセスするためにどのようにしてラップ構成材を開けるかの指示をユーザに与える。本発明のこの態様においては、感覚的表示は、開口部及び開口部の開け方を示すことに向けられた、日常においてよく見かける他の感覚的表示を模擬するように構成することができる。
本発明はまた、ラップ構成材に入れられたパーソナルケア製品構成材を用意し、ラップ材上に与えられた感覚的表示を用いて自由縁を見つけ出し、ラップ材の第２パネルを操作し、ラップ構成材を開いて、ラップ材の中に配置されたパーソナルケア製品構成材にアクセスすることを含む、パーソナルケア製品を用いる方法を提供する。
【発明を実施するための最良の形態】
【０００７】
（定義）
ここで用いられる「含む」、「含んでいる」という語、及び「含む」を語根とするその他の派生語は、記載の特徴、要素、完全体、段階、又は構成材のいずれかの存在を指定する、幅広い解釈ができる用語とされることを意図されており、１つ又はそれ以上のその他の特徴、要素、完全体、段階、構成材、又はそれらのグループの存在又は追加を除外するものではないことに注意されたい。
ここで用いられる「パーソナルケア物品」という用語は、体液を制御するために用いられるあらゆる物品のことをいい、尿、糞便、血液及び月経血を含む身体排出物を吸収し、保持するように構成されたあらゆる物品のことをいう「吸収体製品」を含み、包装された及び包装されていない状態の製品を含むことを理解されたい。したがって、ここで用いられるパーソナルケア製品は、この限りではないが、おむつ、幼児用トイレトレーニングパンツ、成人失禁用衣類、男性失禁用製品、タンポン、膣坐剤、パンティライナ、パッド、生理用ナプキン、ティッシュ、拭取材などを含む。市販のパーソナルケア製品の例は、この限りではないが、パンティライナ及びパッドを含むＰｏｉｓｅ（登録商標）婦人用ケア製品、並びに、パッド、タンポン及びライナを含むＫｏｔｅｘ（登録商標）婦人用ケア製品、Ｄｅｐｅｎｄ（登録商標）下着、肌着及びガードルを含み、これらは全てウィスコンシン州ニーナ所在のキンバリー・クラーク社から入手可能である。
ここで用いられる「パーソナルケア製品」という用語は、パーソナルケア物品の消費者又はユーザに、個々の製品又は１つより多いパーソナルケア製品を収容したパッケージの一部として供給されるパーソナルケア物品及びラップ材のことをいう。
【０００８】
ここで用いられる「不織布又はウェブ」という用語は、相互に織り込まれているが、編布におけるように識別可能になっていない個々の繊維又は糸の構造を持つウェブのことを意味する。この用語はまた、個々のフィラメント及びストランド、ヤーン又はトゥ、並びに、フィブリル化され、穿孔され又はその他の手法で処理されて布のような特性を付与する発泡体及びフィルムを含む。不織布又はウェブは、例えばメルトブロー工程、スパンボンド工程、及びボンデッド・カーデッド・ウェブ工程のような多くの工程から形成されている。不織布の坪量は、通常、材料の１平方ヤード当たりのオンス（ｏｓｙ）又は１平方メートル当たりのグラム（ｇｓｍ）で表され、有効な繊維直径は、普通はミクロンで表される（ｏｓｙからｇｓｍに換算するには、ｏｓｙに３３．９１を掛ける）。
ここで用いられる「ポリマー」という用語は、単独重合体と、例えば、ブロック共重合体、グラフト共重合体、ランダム共重合体、及び交互共重合体、三元共重合体等のような共重合体と、それらの配合物及び変成物を含むが、これらに限られるものではない。さらに、特に限定されていない限り、「ポリマー」という用語は、材料の可能性のある全ての幾何学的形状を含む。これらの形状は、これらに限られるものではないが、アイソタクチック対称、シンジオタクチック対称、及びアタクチック対称を含む。
【０００９】
ここで用いられる「身体対向面」という用語は、通常の使用の際に着用者の身体に向けて又は隣接して配置されるように意図された物品又は構成材の表面のことをいい、「外面」又は「外側対向面」という用語は、反対側であり、通常の使用の際に着用者の身体から遠ざかる方に面して配置されるように意図されている。外面は、吸収体物品の着用時に着用者の下着の方に向く又は隣接して位置するように配置される。
ここで用いられる「感覚的特性」という用語は、ユーザによって知覚されることが可能なラップ構成材の第２パネル又は第１パネルの物理的特性のことをいう。物理的特性には、例えば、色、テクスチャ、形状、絵柄、記号、文字及び／又はパターン、その他の同様の物理的特性がある。
【００１０】
ここで用いられる「感覚的表示」という用語は、第２パネルを第１パネルと区別する、製品のユーザに提供される情報を意味することが意図される。感覚的表示は、第２パネル及び第１パネル上に異なる感覚的特性をもたせることによって製品のユーザに与えられるものであって、ユーザに第２パネルの自由縁の位置についての明確な指示を与えてラップ材を開くことができるようにする。
ここで用いられる「明確な指示」という用語は、ラップ材に最初に出会ったときにユーザが第２パネルの自由縁の位置を容易に確かめることができることを意味する。別の言い方をすれば、ラップ材の第２パネルの感覚的特性と第１パネルの感覚的特性との違いは、第２パネルと第１パネルが隣接する部分で明白であり、それは第２パネルの自由縁にユーザの注意を容易に引き付ける。
ここで用いられる「開け方」という用語は、パッケージが、ラップ構成材がどのように開けられることを意図されているかのメッセージを、ユーザに直接的に又は間接的に伝えることを意味するように意図されている。例えば、封筒形の形状は、第２パネルが存在することと、第２パネルを上向きに持ち上げることによって第２パネルが開かれることをユーザに伝える。
ここで用いられる「接続された」という語は、直接的に接続されること及び間接的に接続されることを意味するように意図されている。直接的に接続されるとは、接続された要素が互いに接触し又は互いに固定されることを意図される。間接的に接続されるとは、１つ又はそれ以上の介在する又は中間要素が、互いに取り付けられ又は「接続される」２つの要素間に存在することを意図される。介在する要素は、固定されることができる。
【００１１】
（発明の詳細な説明）
例えば、婦人用ケア及び失禁用吸収体製品といった使い捨て吸収体物品は、液体透過性のトップシートと、実質的に液体不透過性のバックシートと、トップシートとバックシートとの間に位置され保持された吸収体コアとを含む。トップシートは、通常は、吸収体物品によって保持され又は貯蔵されることを意図された液体を作動的に透過することができ、バックシートは、保持され又は貯蔵されることを意図された液体を実質的に透過させないか又はその他の手法で作動的に透過させないようにすることができる。使い捨て吸収体物品はまた、液体吸上げ層、液体分散層、障壁層など、並びにこれらの組み合わせといった他の随意的な構成材又は層を含むことができ、使い捨て吸収体物品の流体取り扱い性及び貯蔵性を改善することができる。一般に、使い捨て吸収体物品及びその構成材は、身体対向面及び衣類対向面を与える。或いは、実質的に液体不透過性のバックシートは、吸収体パーソナルケア製品が、例えば液体不透過性のパンツのような別の液体不透過性層又は物品と組み合わせて用いられるときに、液体透過性のバックシートと置き換えられてもよい。
【００１２】
本発明においては、本発明の吸収体物品は、開口部特徴をもつラップ材の中に入れられる。開口部特徴は、ユーザに感覚的表示を与えることによって吸収体物品のユーザに対して強調される。感覚的表示は、視覚的表示、触覚的表示、音響的表示、嗅覚的表示、味の感知に訴えかける表示、或いはこれらの表示の１つ又はそれ以上の組み合わせとすることができる。実用的な見地から、視覚的又は触覚的表示が望ましい。
本発明のラップ構成材の中に存在する吸収体物品の良好な理解を得るために、図１に注意が向けられる。図１においては、例示的な吸収体製品１０が、外側カバー４６（バッフル又はバックシートと呼ばれることもある）と、吸収体コア４８と、随意的なティッシュ層６と、随意的なサージ層又は随意的な分散層４と、身体側ライナ４４（トップシートとも呼ばれる）とを含むものとして示されている。吸収体製品１０はまた、第１側１６と第２側１８を有する。第１側１６及び第２側１８は、それぞれ、細長い吸収体製品の長手側である。この側は、例えば、凹形に形作ることができ、又はそれらは直線形にすることができる。この側はさらに、横方向外向きに延びるフラップ（図示せず）を含むことができる。フラップは、当該技術分野においては公知であり、例えば、引用によりその全体をここに組み入れる、ＶａｎＧｏｍｐｅｌ他の米国特許第６，３８７，０８４号に示されている。一実施形態においては（図示せず）、１つ又はそれ以上の弾性要素が、側部に沿って配置されて、ユーザの身体と共にガスケットを形成する。弾性側部は、当該技術分野では公知であり、引用によりその全体をここに組み入れる、Ｄａｔｔａ他の米国特許第６，３１５，７６５号に示されている。一実施形態においては、弾性要素は、身体側ライナと外側カバーとの間に配置される。
【００１３】
吸収体製品１０は、普通は身体側ライナ４４の外面を含む第１身体対向面２０と、普通は外側カバー４６の外側部分を含む第２衣類対向側面２２とを有する。第２衣類側面２２の少なくとも一部に衣類取付接着剤が塗布される。種々の実施形態においては、衣類取付接着剤は、単一の接着剤バンド、或いは２つ又はそれ以上の間隔をおいて配置されたストリップとして構成される。或いは、衣類取付接着剤は、吸収体物品１０の第２衣類対向面２２の大部分を占める接着剤のスワール・パターンを含む。
剥離可能な除去ストリップとしても知られる剥離ストリップ２８が、衣類取付接着剤に取り外し可能に固定され、吸収体物品１０が下着の股部に固定される前の接着剤の時期尚早の汚染を防止するように働く。種々の実施形態においては、衣類取付接着剤は、下着の内側股部に固定されて、吸収体製品がユーザの身体と位置合わせされた状態に保たれるように設計される。剥離ストリップ２８は、図１に示されるように外側カバーの端部１２、１４の一方又は両方を超えて延びることができる。或いは、剥離ストリップは、外側カバー１２及び１４（図示せず）の端部より短くてもよい。一般に、剥離ストリップ２８の長さに対する唯一の必要条件は、剥離ストリップが、外側カバー４６上にしばしば存在する衣類接着剤を覆うことである。
【００１４】
液体透過性であることが好ましい身体側ライナ又はトップシート４４は、１つ又はそれ以上の材料から形成することができる。身体側ライナ又はトップシート４４は、製品の種類に応じて異なる身体排泄物を管理することができなければならない。婦人用ケア製品においては、多くの場合、身体側ライナ又は身体接触層は、月経血及び尿を取り扱うことができなければならない。本発明においては、身体側ライナ又はトップシート４４は、作動的な材料のいずれかから構成された層を含むことができ、複合材料とすることもできる。例えば、ライナ又は身体接触層は、織布、不織布、ポリマーフィルム、フィルム不織布ラミネートなど、並びにこれらの組み合わせを含むことができる。身体側ライナ又はトップシート４４に使用可能な不織布の例は、例えば、空気堆積不織ウェブ、スパンボンド不織ウェブ、メルトブローン不織ウェブ、ボンデッド・カーデッド・ウェブ、水圧交絡不織ウェブ、スパンレースウェブなど、並びにこれらの組み合わせを含む。身体側ライナ又はトップシート４４を構成するための他の好適な材料の例は、レーヨン、ポリエステル、ポリプロピレン、ポリエチレン、ナイロン、又は他の熱結合可能な繊維の微小穿孔フィルムウェブ、網状材料など、並びにこれらの組み合わせのボンデッド・カーデッド・ウェブを含むことができる。これらのウェブは、例えば、ポリプロピレン及びポリエチレン並びにそのコポリマーといったポリオレフィン、一般にポリ乳酸、ナイロン、又はその他の熱結合可能な材料のような脂肪族エステルを含むポリエステルといったポリマー材料から調製することができる。
【００１５】
身体側ライナ又はトップシート４４に好適な材料の他の例は、ポリマー及び不織布材料の複合材料である。複合材料は、典型的には、ポリマーをスパンボンド材料といった不織ウェブの上に押し出すことによって形成された一体型シートの形態である。所望の配置においては、身体側ライナ又は身体接触層４４は、物品が吸収し又はその他の手法で取り扱うことを意図された液体に対して作動的に液体透過性となるように構成することができる。作動的な液体透過性は、例えば、ライナ又は身体接触層に存在し又は形成された複数の孔、ミシン目、穴又は他の開口部、並びにこれらの組み合わせによって与えられる。穴又は他の開口部は、体液が身体側ライナ又は身体接触層の厚さを通って移動し、物品の他の構成材（例えば吸収体コア４８の中に）浸透する速度を増加させる一助となる。液体透過性の選択された構成は、物品の身体側に配置されるように定められた身体側ライナ又はトップシート４４の少なくとも作動的な部分に存在することが望ましい。身体側ライナ又はトップシート４４は、快適さ及び順応性を与えることができ、身体排出物を身体から遠ざかる方向に及び吸収体コア４８に向けるように機能することができる。身体側ライナ又はトップシート４４は、その構造体内に僅かな液体を保持するか又は保持しないように構成することができ、着用者の身体組織の付近に比較的快適な刺激のない面を与えるように構成することができる。
【００１６】
バッフル又はバックシート４６は、作動的な材料のいずれかから構成された層を含むことができ、必要に応じて、選択されたレベルの液体透過性又は液体不透過性を有する又は有さないようにすることができる。特定の構成においては、バッフル又はバックシート４６は、作動的な液体不透過性バッフル構造体を与えるように構成することができる。バッフル又はバックシート４６は、例えば、ポリマーフィルム、織布、不織布など、並びにこれらの組み合わせ又は構成材を含むことができる。例えば、バッフルは、織布又は不織布にラミネートされたポリマーフィルムを含むことができる。特定の構造においては、ポリマーフィルムは、ポリエチレン、ポリプロピレン、ポリエステルなど、並びにこれらの組み合わせから構成することができる。さらに、ポリマーフィルムは、マイクロエンボス加工することができ、印刷されたデザイン、消費者への印刷されたメッセージをもつようにし、及び／又は少なくとも部分的に着色することができる。好適には、バッフル又はバックシート４６は、作動的に空気及び水蒸気が物品の外に、特に吸収体（例えば貯蔵又は吸収体コア４８）の外に十分に通過できるようにしながら、体液の通過を遮断することができる。好適なバッフル材料の例は、ＭｃＣｏｒｍａｃｋ他の米国特許第６，０４５，９００号に記載されたもののような通気性の微孔性フィルムを含む。
【００１７】
二成分フィルム又は他の多成分フィルム、並びに、それらが作動的に液体不透過性となるように処理された織布及び／又は不織布を用いることもできる。独立気泡ポリオレフィン発泡体を含む、他の好適なバッフル材料を用いることもできる。例えば、独立気泡ポリエチレン発泡体を用いることができる。
液体透過性身体側ライナ４４及び液体不透過性バッフル４６は、吸収体コア４８を包み込むために周辺部を互いにシールされて、吸収体物品１０を形成する。或いは、身体側ライナ又はトップシート４４は、吸収体４８とバッフル又はバックシート４６との両方の周りでラップされて、ラップされたパッドを形成することができる。身体側ライナ４４及びバッフル４６、その他の吸収体製品の構成材は、例えば、接着剤結合、超音波結合、熱結合、ピンニング、ステッチング、又は当該技術分野で公知の他の取付技術、並びにこれらの組み合わせを用いて接合することができる。
【００１８】
吸収体コア４８は、月経流体、血液、尿、その他の体液を含む身体排出物を吸収するように設計される。吸収体コア４８は、吸収体材料の１つ又はそれ以上の層を含むことができる。層は、同様の材料又は異なる材料を含むことができる。吸収体コア４８に適した材料は、例えば、セルロース、木材パルプフラフ、レーヨン、綿、及び、ポリエステル、ポリプロピレン又はコフォームのようなメルトブローン・ポリマーを含む。コフォームは、ポリプロピレンのようなメルトブローン・ポリマーとセルロースのような吸収体ステープル繊維との組み合わせのメルトブローン空気形成物である。好ましい材料は、低コスト、形成が比較的容易である、及び吸収体特性が良好であるため、木材パルプフラフである。
吸収体コア４８はまた、種々の天然又は合成繊維、木材パルプ繊維、再生セルロース又は綿繊維、或いはパルプとその他の繊維のブレンドから形成することができる親水性材料からなる複合材から形成することができる。望ましい材料は空気堆積材料である。
【００１９】
一実施形態においては、吸収体コア４８はまた、それに加えて又はその代わりに、吸収体コアがその自重に対して大量の流体を吸収する能力を増加させる超吸収体材料を含むことができる。一般的に述べると、超吸収体材料は、少なくとも約１５、好適には約３０、ことによると約６０倍又はそれ以上の生理食塩水（例えば０．９重量％ＮａＣｌの食塩水）を吸収することができる、水膨潤可能な、通常は水不溶性のヒドロゲル形成ポリマー吸収体材料とすることができる。超吸収体材料は、粒子又はシート形態で挿入することができる。超吸収体材料は、生分解性又は両極性とすることができる。ヒドロゲル形成ポリマー吸収体材料は、寒天、ペクチン、及びグアーガムのような天然材料、カルボキシメチルセルロース、カルボキシエチルセルロース、及びヒドロキシプロピルセルロースのような修飾天然材料を含む有機ヒドロゲル形成ポリマー、及び合成ヒドロゲル形成ポリマー材料から形成することができる。合成ヒドロゲル形成ポリマーは、例えば、ポリアクリル酸、ポリアクリルアミド、ポリビニルアルコール、エチレン無水マレイン酸コポリマー、ポリビニルエーテル、ポリビニルモルフォリノン、並びに、ビニルスルホン酸、ポリアクリレート、ポリアクリルアミド、ポリビニルピリジンなどのポリマー及びコポリマーのアルカリ金属塩を含む。他の好適なヒドロゲル形成ポリマーは、加水分解アクリロニトリルグラフトでんぷん、アクリル酸グラフトでんぷん、並びに、イソブチレン無水マレイン酸コポリマー及びこれらの混合物を含む。ヒドロゲル形成ポリマーは、軽度に架橋されて材料を実質的に水不溶性にすることができる。架橋は、例えば、照射又は共有結合、イオン結合、ファンデルワールス結合、又は水素結合とすることができる。ヒドロキシ官能基をもつポリマーは、生理用ナプキンのための良好な超吸収体となることが見出されている。こうした超吸収体は、Ｄｏｗ  Ｃｈｅｍｉｃａｌ社、Ｈｏｅｃｈｓｔ−Ｃｅｌａｎｅｓｅ社、及びＳｔｏｃｋｈａｕｓｅｎ社から市販されており、吸収体材料１グラム当たり吸収された液体２５グラム（ｇ／ｇ）を上回る値の荷重下吸収力を有する、ポリアクリル酸及びポリビニルアルコールの架橋コポリマーの部分中和塩である。当業者には公知の他のタイプの超吸収体材料を用いることもできる。
【００２０】
例えば、サージ又は移送層とも呼ばれる液体取り込み及び分散層４と随意的なティッシュ層６とを含む付加的な層又は基体も、例えば、身体側ライナ又はトップシート４４と吸収体コア４８との間の吸収体製品の中に組み込まれる。分散層４は、吸収体コア４８より短くても良いし、又は吸収体コア４８と同じ長さを有してもよい。分散層は、放出された流体を一時的に保持するように働いて、超吸収体材料が存在するときに吸収体コアが流体を十分な時間だけ吸収できるようにする。一実施形態においては、吸収体コア、分散層、及びティッシュ層のような他の構成材は、外側カバーとライナとの間で自由に浮動し（取り付けられていない）、これらはその周辺縁に沿ってのみ固定される。或いは、吸収体コア、移送層及び他の構成材は、外側カバー及びライナの一方又は両方に、及び／又は互いに取り付けられる。
【００２１】
ラップ構成材は、異なる構成をもってもよく、又は本発明の範囲から逸脱することなく他の方法で用意することができるが、図２Ａ及び図３を参照すると、典型的なラップ構成材１１は、それぞれ自由縁５６、５４を有する第１及び第２端をもつ材料のストリップ又はウェブ５２から形成されたポーチ５０を有する。「自由縁」という用語は、ラップ構成材が閉じているときに自由縁が取り付けられているかどうかに関係なく、ラップ構成材が開かれた後に取り付けられていない縁のことをいうと理解されたい。第１及び第２の端部の各々は、それぞれポーチ５０の上部縁６０及び底部縁５８を定める折りたたみライン５８’及び６０’に沿って折りたたまれる。折りたたまれたポーチは、バックパネル６２、第１パネル６４及び第２パネル６６を有する。第１パネル６４及びバックパネル６２は、その側縁６８、７０に沿って固定して、吸収体製品を受け入れるためのポケット形状を形成することができる。一実施形態においては、ポケット及びポーチは、ポーチの中に個々にラップされる単一の製品構成材を受け入れる形状及び寸法とすることができる。或いは、ポケット及びポーチは、１つより多い吸収体物品を保持するように構成することができる。第２パネル６６は、第１パネル６４の上に折りたたまれて、第２パネルの自由縁５４が第１パネル６４の上に重なるようにされる。第１パネル６４は、自由縁５４（外側）と自由縁５６（内側）との間に延びる覆われた又は重ねられた部分５７を有し、該覆われた又は重ねられた部分５７は、第２パネル６６の下にある。一般に、第２パネルは、フラップとすることができるが、本発明においては第２パネルが必ずしもフラップである必要はない。フラップは、ユーザがフラップの端部をつかみ、フラップを上向きに上部６０に向けて引っ張ることによって取り扱われる、ラップ構成材の一部である。
【００２２】
第２パネルが第１パネルに重なるときには、重なり距離（Ｌｏ）は、閉じた状態（図４に示される）でのラップ構成材の全長（Ｌｐ）の約９５％より少ないか又はそれに等しく、より望ましくはラップ構成材の長さの約３５％より少ないか又はそれに等しく、より望ましくはラップ構成材の長さの約２０％より少ないか又はそれに等しい。種々の実施形態においては、自由縁５４は、縁５８又は６０のいずれかから、ラップ構成材の全長（Ｌｐ）（閉じた状態）の約１０％より多いか又はそれに等しい、より望ましくはラップ構成材の長さの約３０％より多いか又はそれに等しい、より望ましくはラップ構成材の長さの約５０％の距離（Ｄ１、Ｄ２）に位置される。第１パネルはさらに、自由縁５４と底縁５８との間を延びる覆われていない第２部分５９を含む。もちろん、製品及びラップ構成材の長さ及び幅は、製品の種類及び製品の寸法に従って変化させることができることを理解されたい。１つの例においては、婦人用ナプキン又は失禁用パッドの場合、部分５７は、縁５４、５６の間で約０から約５０ｍｍ、通常は約２−２２ｍｍ、典型的には約４−１０ｍｍの長さ（Ｌｏ）を有する。
【００２３】
一対の側部シール７４が、第１パネル６４をバックパネル６２に固定する。側部シールは、第１パネルがバックパネルの上に折りたたまれ、第２パネルがバックパネル及び第１パネルの上に折りたたまれた後に形成されることが望ましい。しかし、第１パネルが最初にバックパネルにシールされ、次いで第２パネルがバックパネル及び第１パネルの一方又は両方にシールされることも可能である。別の構成においては、第２パネルは、第１パネル及びバックパネルの側縁でシールされない。この実施形態は、後でより詳しく説明する。側部は、当業者には公知の方法のいずれかによってシールすることができる。例示的なシール方法には、例えば、接着剤シール、熱及び圧力をかけることによる結合、超音波結合、その他の当該技術分野では公知の結合方法を含む。本発明の一実施形態においては、側部シール７４を壊れやすくすることができ、それは、それらを容易に壊して、第２パネル６６を第１パネル６４及びバックパネル６２から分離し、かつ、第１パネル６４をバックパネル６２から容易に分離して、製品構成材１０が、ユーザによってポーチから取り出すために露出されるようにすることを意味する。
【００２４】
したがって、１つ又はそれ以上の自由縁を、図１３Ａ−図１３Ｃに示された穿孔ラインに沿って形成することができ、又は、穿孔ラインが破かれた後に穿孔ラインによって定められた縁が「自由縁」となるように、下にある層に接着することができる。自由縁は、単一層の切断部又は形成された縁とすることができ、又は二層折りたたみ縁を含むことができ、或いは複数の層によって形成された縁を含むことができる。
ラップ材は、この限りではないが、不織材、フィルム、紙、ラミネート、及び／又は布（織布を含む）材料、及びこれらの組み合わせのような材料から形成することができる。例えば、ポーチは、引用によりその全体をここに組み入れる、Ｓｏｒｅｂｏ他の米国特許第６，７１６，２０３号に開示されるようにして製造することができる。本発明において使用可能な好適なラミネートには、スパンボンド−スパンボンド・ラミネート（ＳＳ）、スパンボンド−メルトブローン−スパンボンド・ラミネート（ＳＭＳ）、スパンボンド−フィルム・ラミネート（ＳＦ）及びフィルム−フィルム・ラミネートがある。一実施形態においては、ポーチは、キンバリー・クラーク社から入手可能なフィルム／スパンボンド・ラミネート材料からなり、ＨＢＳＴＬ（高通気性ストレッチ・サーマル・ラミネート）として知られており、この材料はさらに、引用によりその全体をここに組み入れる、米国特許第６，２７６，０３２号に開示されている。
【００２５】
１つの別の実施形態においては、第２パネル６６は、第１パネル６４に取り外し可能に固定される。例えば、図３Ａにタブとして示されている締結要素７２は、第２パネル６６の自由縁５４を横切って固定されて、第２パネル６６を第１パネル６４に固定する。締結要素は、第２パネル及び第１パネルの両方に取り外し可能に固定することができ、又は、第２パネル及び第１パネルの一方に固定取り付けし、他方に取り外し可能に固定することができる。他の可能な構成は、締結要素が両方のパネルに固定取り付けされ、一方又は両方のパネルに穿孔領域のような脆弱ラインが設けられ、それが、ラップ材が開かれるときにパネルの一方又は両方の一部が除去され又は損傷されるようにすることである。締結要素は、接着剤テープ、スナップ、ボタン、機械的ファスナ（例えばフック及びループ）、タイとして、又は当業者には公知のその他の装置として形成することができる。締結要素は、この限りではないが、正方形、矩形、三角形、円形、楕円形、長円形、長方形、又はダイヤモンド形、或いはその他の不規則な形状又はパターンを含む種々の別の形状を有することができる。別の実施形態においては、締結要素は、第２パネルの内側に形成され、それにより、第２パネルがその上に折りたたまれたときに第１パネルと係合し、ユーザには見えなくなる。例えば、第２パネル６６を第１パネル６４に留めつけることは、第１パネル６４と接触する第２パネル６６の側部に、及び第２パネル６６に接触する第１パネル６４の側部に、又はこの両方に塗布された接着剤を用いることによって達成される。この接着剤は、リボン、ドット、スワール・パターン、又は第２パネル６６を第１パネル６４に効果的に接着するその他のパターンとして塗布することができる。第２パネル６６を第１パネル６４に留めつけるための別の代替的な方法においては、第２パネル６６は、熱シール又は他の溶接物によって第１パネル６４に単純にシールされ、溶接物は締結要素を定める。別の実施形態においては、第２パネル６６は第１パネル６４にはシールされない又はその他の手法で取り付けられないが、単純に互いに折り重ねられる。或いは、第２パネルの側部は、ユーザが第２パネルをつかんで持ち上げるのに応じて側部シールが破断可能となる状態で、バックパネルに及び第１パネルにシールされる。感覚的表示を締結要素の上に配置可能であることは、本発明の範囲内である。
幾つかの実施形態においては、第２パネル６６は、第１パネル６４に再締結可能に固定され、他では、第２パネル６６は、ラップ構成材が開かれたときに第１パネル６４に固定されることを意図されていない。例えば、一実施形態においては、自由縁５４は、穿孔ラインによって定められ、第２パネルは、穿孔が破かれた後に再締結可能ではない。
【００２６】
図１及び図２Ａを参照すると、吸収体製品１０は、折りたたまれた状態で示されている。例えば、吸収体製品は、一対の折りたたみライン３０、３２に沿って折りたたまれて、三つ折り構成を形成することができる。別の実施形態においては、吸収体製品は、２つ折り、平らにする又は巻くことができる。次いで、吸収体製品は、ラップ材又はポーチとも呼ばれる個々のラップ構成材１１の中に挿入される。或いは、複数（２つ又はそれ以上を意味する）の製品１０を、ラップ構成材１１の中に置くことができる。１つの製品／ラップ材構成が、引用によりここに組み入れる、ＭｃＭａｎｕｓ他の米国特許第６，６０１，７０６号に示されている。他のラップ材／吸収体製品構成が、例えば、引用によりここに組み入れる、Ｌｉｎｇ他の米国特許出願第２００２／００７９２４６号に記載されている。吸収体製品は、例えば、折りたたみライン３０、３２がラップ構成材６８、７０の側部に並行に又は垂直に延びる状態で、個々のラップ構成材内で種々の方法で向きをつけることができる。
【００２７】
本発明の別のラップ構成材の実施形態が、図２Ｂ及び図２Ｃに示されている。この実施形態においては、ラップ構成材１１及び吸収体物品１０が互いに折りたたまれる。ラップ構成材１１は、それぞれ自由縁５４，５６をもつ第１及び第２端を有する材料のストリップ又はウェブ５２である。最初に、ラップ構成材と吸収体物品が、ライン３０に沿って互いに折りたたまれて、吸収体物品の身体側ライナ又はトップシート４４がそれ自身と接触することになる。さらに、側部６８及び７０の各々は、図２Ｃに示されるように、それ自身と接触し、互いにシールされて両側シール７４を形成することができ、又は、この段階ではシールされないままであってもよい。一般に、ラップ構成材の側部は、側部領域６８及び７０において結合される。側部は、接着剤シール、熱及び圧力をかけることによる結合、超音波結合又はその他の当該技術分野では公知の結合方法を含む、当業者には公知の方法のいずれかによってシールすることができる。図２Ｃに示されるように折りたたまれ、シールされたときに、ラップ構成材は、バックパネル６２、第１パネル６４及び第２パネル６６をもつポーチを有する。第２パネル６６は、ライン３２に沿って第１パネル６４の上に折りたたまれ、それにより第２パネルの自由縁５４が第１パネル６４の上に重なる。この構成においては、吸収体物品のトップシートの一部が、ラップ構成材１１の第１パネル６４と接触することになる。上述の構成と同様に、第１パネル６４は、図４に示された、自由縁５４（外側）と自由縁５６（内側）との間を延びる覆われた又は重ねられた部分５７を有し、覆われた又は重ねられた部分５７は、第２パネルの下に延びる。材料の観点から、ラップ構成材１１も剥離ストリップとして用いることができ、剥離ストリップ２８は不要であるため、ラップ構成材１１及び吸収体物品を一緒に形成することは有利である。前述の構成と同様に、ラップ構成材は、本発明の範囲から逸脱することなく、自由縁５４と第１パネル６４との間に重なりがないように設計することができる。例えば、自由縁５４、５６は、図１３Ａに示すように互いに当接することができ、又は僅かな距離（図示せず）だけ離間することができる。したがって、この代替的方法においては、第２パネルは、単に別のパネルとして定められる。
【００２８】
図１３Ａ、図１３Ｂ及び図１３Ｃに示された別のラップ材構成においては、第２パネル６６の自由縁５４は、第１パネルの自由縁５６に当接する。穿孔ライン２２１又は他の脆弱ラインが第１パネル６４及び第２パネル６６を互いに分離し、穿孔２２１又は脆弱ラインが破断されたときに自由縁５４及び５６が形成される。さらに、図１３Ｃに示されるように、ラップ構成材の第１パネル６４は、１つより多い自由縁５４を有することができ、ラップ構成材上に２つより多いパネルが存在していてもよい。第３パネル６５が設けられる。さらに、図１３Ｂに示されるように、第２パネル６６は、ラップ構成材の全幅又は全長を延びる必要はない。第２パネル６４は、ラップ構成材の幅の一部とすることができる。図１３Ａ、図１３Ｂ及び図１３Ｃに示されたラップ材構成は、引用によりここに組み入れる、Ｂａｌｚａｒ他の米国特許第６，０３６，６７９号にさらに詳しく説明されている。
【００２９】
さらに別の可能なラップ材構成においては、ラップ構成材は、製品構成材の一部として形成される。例えば、バッフル材料のような外側カバーは、例えば、引用によりここに組み入れる、Ｇｏｓｓｅｎｓの米国特許第５，９９３，４３０号に示されるように、ラップ構成材を形成することができる。これらの実施形態においては、製品構成材は、ラップ材要素がシールされ又はその他の手法で閉じられたときにラップ構成材の中に配置されるように考慮されていることを理解されたい。別の実施形態においては、製品構成材は、ラップ構成材が製品構成材と一体であるか又はそれとは別であるかに関係なく、ラップ構成材のフラップ又は前パネル部分がラップ構成材のパネル部分に重なるように巻かれる。
本発明は、ユーザにラップ構成材の第２パネルの自由縁がどこにあるかを示す感覚的表示を、吸収体物品のユーザに提供する。感覚的表示は、視覚的表示、触覚的表示、音響的表示、嗅覚的表示、味の感知に訴えかける表示、或いはこれらの表示の１つ又はそれ以上の組み合わせとすることができる。実用的な見地から、視覚的又は触覚的表示が望ましい。この感覚的表示は、吸収体物品のユーザがラップ構成材上の位置を見つけ出して、ラップ材の中に収容された吸収体物品にアクセスするためにラップ構成材を開く一助となる。
【００３０】
実用的な見地からは、視覚的又は触覚的表示が望ましい。しかしながら、これは、他の感覚的表示が本発明から排除されることが意図されるという意味ではない。例えば、音響的表示、嗅覚的表示及び味覚に訴えかける表示は、盲目であるか又は本質的に盲目であるという点で重度の視覚障害をもつ製品ユーザにとっては非常に有用である。味覚の場合には、フラップ又は開口部の近くの第２パネルの縁に味を付けて、ユーザが味を感知してポーチの開口部を見つけられるようにすることができる。同様に、「ひっかく及び匂いをかぐ」タイプのコーティングを、ポーチの開口部の近くに配置して、ユーザが匂いを感知して開口部を突き止めることができるようにする。同様の方法で、本発明においては、フラップ又は第２パネルに用いられる材料の種類又は材料の厚さを変化させて、触れたとき又は取り扱ったときにフラップ又は第２パネルによって発生した音がポーチ材料の残りの部分とは異なるようにすることによって、音響的手段を用いることができる。
【００３１】
本発明においては、ラップ材の第１パネルと第２パネルとの接触によって感覚的表示が与えられる。これは、第２パネルに第１組の感覚的特性を、及び第１パネルに第２組の感覚的特性を設けることによって達成可能である。第１組の感覚的特性又は第２組の感覚的特性の少なくとも１つの特性は、他の組の感覚的特性の他の感覚的特性とは異なる。本発明においては、第２パネル及び第１パネル上の感覚的特性の違いは、最初にラップ構成材に出会ったときにどこに自由縁があるかの明確な指示を与えるものでなければならない。すなわち、ユーザは、フラップ又はラップ材上の感覚的特性に基づいて自由縁の位置に関して考える必要はない。これについては、従来技術のラップ材構成を示す図１０Ａ及び図１０Ｂに注意が向けられる。各ラップ材１１’は、フラップ６６’及び前パネル６４’を有する。感覚的特性９０’が、自由縁５４’’に沿ってフラップ６６’の底部に適用される。初めてこの構成を見たユーザは、自由縁５４’’の位置の構成を最初に細かく確かめることはない。自由縁は、感覚的特性９０’の上に又は感覚的特性９０’の下に配置することができる。この場合、自由縁の位置についての明確な指示が設けられていないものがあり、こうした構成は本発明の範囲外である。さらに、図１０Ｂは、開口部が感覚的特性の下にあるか又は上にあるかについてユーザをさらに困惑させる。下向き矢印９０’’は、フラップ６６’が下向きに開かれることを示すものと解釈することができる。
【００３２】
感覚的特性は、多くの形態をとることができ、例えば、乾燥すること、印刷すること、及び／又はエンボス加工することによって又は第１パネルに対する第２パネルの相対的なテクスチャを他の手法で変えることによって形成された指示を含む、１つ又はそれ以上の色、テクスチャ、形状、絵柄、記号、文字、及び／又はパターンを含むことができる。他の例は、第２パネル及び第１パネル材料の種類、第２パネル及び第１パネル材料の色、第２パネル又は第１パネル上にエンボス加工され又は印刷されたパターン、自由縁の形状、又はユーザが第２パネルと第１パネルとの違いを確かめて、少なくとも１つの特性の差により発生した対比によって第２パネルの自由縁を認識できるようにすることができるその他の特性を含む。
【００３３】
本発明によって提供された感覚的表示の良好な理解を得るために、図３Ａ−図３Ｊに注意が向けられる。図３Ａ−図３Ｊの各々においては、第２パネル６６及び第１パネル６４の少なくとも１つは、視覚的又は触覚的特性として示された感覚的特性９０を含む。図３Ａの感覚的特性９０は、第１パネル６４上にではなく第２パネル６６上に存在する。感覚的特性９０は、自由縁５４において終わることが望ましく、自由縁の位置についての指示を与える。感覚的特性が第２パネル上にのみ存在する場合には、第２パネル６６上の感覚的特性が終わって第１パネル６４が始まる場所である自由縁５４にユーザの注意を引き付ける感覚的表示がユーザに提供される。「向けられる」及び「終わる」という用語は、例えば図３Ａ及び図３Ｃに示されるように、発生した感覚的表示又は感覚的特性が自由縁５４の全ての距離に接触し又は延びる必要があるということを要求するものではなく、第２パネル６６の一部の上にパターン９２が適用されるが、その最下部は縁５４から僅かに離間されている。前述のように、感覚的特性９０は、多くの形態をとることができ、例えば、乾燥すること、印刷すること、及び／又はエンボス加工することによって又は第１パネルに対する第２パネルの相対的なテクスチャを他の手法で変えることによって形成された指示を含む、１つ又はそれ以上の色、テクスチャ、形状、絵柄、記号、文字、及び／又はパターンを含むことができる。感覚的特性はさらに、ユーザが薄暗い条件で自由縁にアクセスできるように、反射型とすることができ、及び／又は暗闇で光ることができる。
【００３４】
例えば、図３Ａの実施形態においては、感覚的特性９０は、第２パネル６６の全体に適用された装飾的パターンとして構成される。１つの好適な実施形態においては、パターンは繰り返し絵柄によって形成される。もちろん、パターンは、繰り返し絵柄、ライン、形状、文字などのいずれかの組み合わせとすることができる。図３Ｂ、図１３Ａ、図１３Ｂ及び図１３Ｃの実施形態においては、感覚的特性９０は、第１パネル６４の色とは異なる第２パネルに適用された色として構成され、色は異なる色合いをもつことを意味する。１つ又はそれ以上の色はまた、異なる明るさ及び／又は彩度／鮮明さのために異なる。彩度／鮮明さは、薄い色から暗い色の強度である。要素はまた、光を拡散し又は散乱させる傾向があるマット仕上げから反射するグロス仕上げまでの、異なる光沢／仕上げを有することができる。
【００３５】
図８を参照すると、色合いは、円１１０のまわりの角度位置によって測定される。色は、それらが円１１０上で互いに±０．５０度、或いは±５度、或いは±３０度、或いは±９０度、或いは±１５０度、及び或いは±１７５度より大きく異なる第１及び第２の色合いをもつ場合に異なると考えられる。値（光度）は、白色と黒色との間でＺ軸１１２に沿って測定される。色は、少なくとも最大１％（ポラロイド・ホワイト参照標準）違う値をもつ場合に異なると考えられる。望ましくは、値の違いは、少なくとも最大２０％、より望ましくは少なくとも最大３３％である。値１は白色に等しく、値０は黒色に等しい。彩度／鮮明さは、半径（ｒ）の長さに沿って測定される。色は、それらが少なくとも最大２．５％の彩度の差をもつ場合に異なると考えられる。望ましくは、彩度の差は、少なくとも最大７％、より望ましくは少なくとも最大３３％である。
色合い、光度及び彩度／鮮明さは、以下の方法で校正された以下の式を用いて以下のように測定される。
【００３６】
（装置）
定量的比色測定は、典型的には、比色計又は分光光度計を用いて行われる。しかしながら、これらの機器は、典型的には、意味のある測定のために大きなカラーブロックを要求する大きな開口（〜１ｃｍ）を有し、それは機器を、幅が機器の開口より非常に小さい細い線又は点からなる絵柄の色の測定に不適切なものにする。したがって、機能部の識別及び比色測定のためにＺｅｉｓｓ  ＫＳ４００画像解析システムを使用した。
Ｚｅｉｓｓ  ＫＳ４００は、２０ｍｍＡＦ−Ｎｉｋｋｏｒ  ｌｅｎｚ（ｆ／２．８）を装備したＺｅｉｓｓ  ＡｘｉｏＣａｍカラーＣＣＤカメラ（１３００×１０３０ピクセル、３チャネルカラー、８ビット毎チャネル）を使用するものであった。カメラは、サンプル台の上に下向きに面するように垂直方向に取り付けられ、有効視野は９７×８０ｍｍであった。入射サンプル台照射は、ダブルのＶａｒｉａｃ（登録商標）（７０％、９０％）の４つの白熱フラッドランプ（ｓｙｌｖａｎｉａ）によって行われ、結果としておよそ１１，０００ｌｕｘの照度であった。ランプは、およそ４５度の視野に向けられたサンプル台の左方縁及び右方縁の上にあった。
【００３７】
（校正）
カメラ黒色基準は、レンズのキャップをつけた状態であった。カメラ白色基準は、露光１５ｍｓの状態のポラロイド８０３ポジであった。フラッドランプの暖色照射バイアスを考慮に入れるために、ＫＳ４００ソフトウェアの白色選択ツールを用いて、レッド、グリーン、及びブルー（ＲＧＢ）値をオフセットさせ、結果として白色画像を生み出す補正されたＲＧＢ値が得られた。
（サンプルの設置及び画像の取り込み）
サンプルを台の上に（ノーマル視野角）及び地形的影響を最小にするために１／４インチのプレートの下に置く。色をもつ絵柄部分の画像を、露光１５ｍｓで取得した。
（画像分析）
画像処理ツールボックス（ｖ４．０）を備えたＭａｔｌａｂ（ｖ６．５．１、リリース１３、Ｍａｔｈｗｏｒｋｓ  Ｉｎｃ）において画像分析を行った。ＲＧＢ画像を、Ｍａｔｌａｂのｈｓｖ２ｒｇｂ．ｍコマンドを用いて、色合い、彩度及び値（ＨＳＶ）スペースに変換した。彩度の下限０．０５（０−１スケール）を選択することによって、絵柄の全ての着色され／インクで書かれた部分の実際的な検出が得られる。各画像における検出された領域についての色合い、彩度、及び値（すなわち光度）の濃密度分布を計算した。
【００３８】
図３Ｃを参照すると、感覚的特性９０は、第２パネル６６の一部の上に形成されたパターンを含む。図３Ｄにおいては、感覚的特性９０は、第２パネル６６の一部に適用された色として構成される。さらに、矢印形状の形態９４の先端が縁５４に向けられる。矢印形状の形態９４は、図３Ｃに示されるようにパターンを含むことができる、又は図３Ｄに示されるように第２パネル６６の残りの部分とは異なる色とすることができる感覚的特性領域を定める。これはさらに、ユーザの注意を縁５４に向ける。矢印形状の形態の場合、第２パネルは封筒に似ており、それはユーザに第２パネルをどの方向に開けるかを示す傾向があることも指摘される。すなわち、シールされていない及びシールされた封筒は、典型的には、先端部から上方に開かれる。したがって、感覚的表示はまた、第１パネルと関連付けて、どの方法で第２パネルを開けるべきかをユーザに示す手段を提供する。
【００３９】
図３Ｅを参照すると、第１パネルは、第２パネル６６の下にあるポーチの第１パネル６４上の、交互に及び間隔をおいて配置された細い及び太い垂直な線で示されたパターン９８をもつように構成される。この実施形態においては、簡素な構成の第２パネル６６が前部のパターン９８と対比され、それによりユーザに第２パネル６６の縁５４の位置についての感覚的表示を与える。第２パネル６６は、白色を含むいずれかの色をもつように構成することができる。望ましくは、第２パネルの色は、ポーチの第２パネル６６と第１パネル６４とを対比させる一助となるように選択される。別の代替的構成においては、図３Ｆを参照すると、第２パネル６６は、パターン１００の形態の第１の感覚的特性をもつように構成され、第１パネルは、第１パターン１００とは異なるパターン９８の形態の第２の感覚的特性をもつように構成され、それにより、第１の感覚的特性と第２の感覚的特性が交差する場所を明確に突き止める、第２パネル６６の自由縁５４の位置についての感覚的表示を与える。
【００４０】
図３Ａ、図３Ｃ、図３Ｅ及び図３Ｆに示されたパターンは、ラップ構成材の上に印刷することができ、又はラップ構成材の上にエンボス加工することができることが指摘される。エンボス加工されたときに、視覚的及び触覚的な感覚的表示の両方が与えられる。触覚的な感覚的表示はまた、ハンドバッグ、おむつ入れ、又はブリーフケースのような多くの物体を収容している場所に保存されているときに、製品ユーザが吸収体物品と共にラップ構成材を見つけ出す一助となる。さらに、印刷の代わりにエンボス加工を用いることはまた、エンボス加工されていない第２パネルに比べて、エンボス加工がユーザによる第２パネル上のそのグリップ性を改善するので、ユーザがラップ構成材を開く一助となる。エンボス加工は、例えば、インク又は染料は必ずしも感覚的表示を与えるのに必要ではないので、材料コストを下げることを含む、印刷を上回る他の利点を有する。エンボス加工は、視覚的及び触覚的な感覚的表示の両方を与えるので、視力の弱いユーザを含む吸収体物品の全てのユーザがラップ構成材の第２パネルを突き止めることができるようにする。材料をエンボス加工する方法は、当該技術分野では周知である。例えば、ラップ材料は、加熱された又は加熱されていないアンビルロールと、レリーフ・エンボス・パターンが刻み込まれた、加熱された又は加熱されていないエンボス加工ロールとの間を通される。超音波エンボス加工などを用いることを含む当業者には公知の他の技術を用いて所望のエンボス加工効果を得ることもできる。ラップ構成材がエンボス加工される方法は、本発明においては重要ではない。一般に、必ずしもそうである必要はないが、吸収体物品が婦人用パーソナルケア物品に用いられるように設計されるときには、使用されるエンボス加工パターンは、ラップ構成材に花柄のような女性らしい趣向を与える物体を含むことが望ましい。
【００４１】
エンボス加工は、ラップ構成材に対して変化させることができる。例えば、第２パネル６６は、図３Ａに示すようにエンボス加工することができ、又はポーチ６４の第１パネルはパターンをもつようにエンボス加工することができる。どちらの場合にも、エンボス加工パターンは、パターンが縁５４で終わるので、ユーザの注意を縁５４に向ける。エンボス加工パターンは、位置合わせすることができ又は位置合わせされず、高密度のパターン又は低密度のパターンとすることができる。
感覚的表示のさらに別の可能な構成においては、感覚的特性は、ラップ構成材の残りの部分に比べて別個の形状を有する第２パネル６６の縁５４を含むことができる。例えば、ラップ構成材は、一般に図３Ａ−図３Ｆに示されるように、一般に直線形の上部６０、底部５８及び側部７０及び６８縁を有する。第２パネル６６の縁５４を非直線形にすることにより、縁は、ラップ材の開口部の位置についての感覚的表示を与える。図３Ｇ−図３Ｊは、本発明において使用可能な幾つかの可能な非直線形の縁を示す。非直線形の縁５４によって与えられた感覚的表示は、視覚的表示と触覚的表示との両方である。図３Ｇは、波形パターンを有する縁５４を示す。図３Ｈにおいては、スカラップ形状を有する縁５４が示されている。図３Ｉ及び図３Ｊの各々は、Ｖ字形状の縁５４を有する第２パネル６６が示されている。本発明の範囲から逸脱することなく、他の非直線形の形状を用いることができる。ラップ材の第２パネル６６上に非直線形の縁５４を有することの別の潜在的な利点は、関節炎などによって手の力の弱くなっているユーザが第２パネルを容易につかめることである。
【００４２】
上述の形状のうち、Ｖ字形状は形状が封筒に似ているので有利である。吸収体物品のほとんどの潜在的ユーザは、封筒形、及び封筒の開け方になじみがある。したがって、Ｖ字形状のおかげで、ユーザは、ラップ構成材の開け方を示される。
ラップ構成材の第２パネルの縁をユーザに示す感覚的表示を得るための別の方法は、ポーチ構成材として両側の材料を用いることである。ここで用いられる「両側」という用語は、材料が材料の各々の側部において異なる特性をもつことを意味するように意図される。異なる特性は、各側部における異なる色、異なる表面テクスチャ、異なる材料などとすることができる。一般に、両側のラップ構成材は、通常は、例えば、スパンボンド−フィルム・ラミネート（ＳＦ）、スパンボンド−メルトブローン−スパンボンド・ラミネート（ＳＭＳ）、スパンボンド−スパンボンド・ラミネート、フィルム−フィルム・ラミネートなどのようなラミネート材料である。
【００４３】
両側の材料を設けることによって、第２パネル及び／又は第１パネルには、第２パネルの縁に向けられた感覚的表示を容易に設けることができる。材料の各側が異なる色を有する場合には、熱を用いてエンボス加工するときに各側の材料が溶融するため、エンボス加工されたときに色が共に混合されて、最初の２つの色とは異なる第３の色を与える。例えば、材料の一方の側が白色で、他方の側が青色である場合には、材料がエンボス加工される領域において第２の青色が発生し、それは第１の青色とは区別されることになる。さらに別の例としては、一方の側が黄色で他方の側が青色である場合には、熱及び圧力を用いてエンボス加工されたときに、緑色が発生するであろう。エンボス加工は、ポーチの第２パネル上で又は第１パネル上で行われて、ユーザに第２パネルの開口部の位置についての感覚的表示を与える。さらに、エンボス加工及び色の変化は、第２パネルの自由縁の位置についての２つの別の感覚的表示を与えることになる。
【００４４】
本発明の別の実施形態においては、ラップ材の各側が異なる特性を有するときには、第２パネルの縁が上向きにめくられて、ラップ構成材の中の吸収体物品に隣接するラップ材の側部を露出する。本発明における両側ラップ構成材を用いることの幾つかの利点の良好な理解を得るために、図９Ａ及び図９Ｂに注意が向けられる。構造体を明確に示すためにパッキング構成材を誇張した図９Ａにおいて見られるように、ラップ構成材１１は、第１側２１１及び第２側２１２を有し、第１側２１１はラップ構成材１１の外面のバルクを形成し、第２側２１２は吸収体物品１０に隣接するラップ構成材の内面のバルクを形成する。折りたたまれたときには、パッキング構成材の自由縁５４は、ラップ構成材の開口部には存在しない。代わりに、第２パネル６６の端部である明白な自由縁５４’が形成される。図９Ｂは、閉じられたラップ構成材の前面図を示す。第２パネルの端部において露出されたラップ構成材の第２側２１２を有することによって、第２側２１２に関連する異なる特性が、ラップ構成材１１の開口部の位置についての感覚的表示をユーザに与える。本質的には、ラップ構成材の第１側及び第２側の特性の違いが、感覚的表示を与える。上述のように、ラップ構成材の第２側２１２は、例えば、色、結合パターン、エンボス加工などのような第１側２１１とは異なる特性を有する。両側材料の２つの側の特性の多くの異なる組み合わせを用いることができる。幾つかの可能な組み合わせの例は、例えば、各側において色が異なる、一方の側はエンボス加工され他方の側はエンボス加工されない、両方の側が異なるパターンをもつようにエンボス加工される、といったことを含む。さらに、異なる特性はまた、異なる特性の組み合わせとすることができる。
【００４５】
本発明においては、明白な自由縁５４’を与えるために自由縁５４が上向きにめくられたときに、他の利点が得られる。例えば、自由縁５４が第２パネル６６の上に上向きに折りたたまれたときには、開口部の材料がより厚くなって、ユーザが第２パネルを容易につかんでラップ構成材を開くことができる。また、自由端５４はさらに、自由端が前述のように区別可能な形状をもつような形にすることができる。さらに、明白な自由端５４’も形成することができる。例えば、右側５４Ｒ及び左側５４Ｌを有する自由縁５４を、縁６８及び７０の近くの自由縁の各側の地点から第２パネルに向けて折りたたんで、図９Ｃに示された構成を作成することができ、自由縁５４Ｒ及び自由縁５４Ｌは互いに隣接している。したがって、第２パネル６８及び７０の側部は、新たな位置６８’及び７０’を有し、自由縁５４をもたらし、自由縁５４Ｒ及び５４Ｌは、図９Ｃにおいては互いに接触するように示されており、折りたたまれたときにラップ構成材の第１の側の幾らかが露出されている状態で縁５４Ｌ及び５４Ｒが離間されることも本発明のこの態様の範囲内である。縁５４Ｒ及び５４Ｌを折りたたむ結果として、図９Ｃに示されるように形がつけられた第２パネルがもたらされる。作成可能な１つの便利な形状はＶ字形の第２パネルであり、その利点は前述した。ポーチ材料の異なる折りたたみ及び可能な切断の組み合わせを用いることによって、他の形状を作成することもできる。
【００４６】
図９Ａ−図９Ｃに示されるように、上向きに折りたたまれた第２パネルの自由縁を有することの１つの利点は、明白な自由縁５４’又は自由縁５４をつかむことによってラップ材が開かれることである。自由縁に沿って異なる色の単一のストリップを含み、第２パネル材料の上に自由縁を折りたたむことによって、色の付いたストリップの一方の側の唯一の自由縁の位置を明確に示すものではない、従来の開放表示とは異なり、ラップ材は、自由縁５４又は明白な自由縁５４’をつかむことによって開くことができる。これは、ユーザが開口部の位置について困惑することを回避する。これは、特に薄暗い条件でラップ材の第２パネルを見つけ出して開くユーザに特に有用であり、又は視力の弱いユーザを支援する。ラップ材の第２側２１２が見える第２パネルの領域２１３はまた、ユーザがつかむためのより厚い材料部分を与え、それによりラップ構成材を開くのを容易にする。一般に、領域２１３は、長さＬｓを有することになる。一般に、Ｌｓは、通常約２０から３５ｍｍの長さ範囲であるユーザ群の人の指の端部区域のほぼ平均的長さとされる。
【００４７】
他の実施形態においては（図示せず）、感覚的表示は、第２パネル及び第１パネルの一方又は両方に形成された、色づけされ又はパターン形成されたストリップ又は波形部を含むことができる。色づけされ及び／又はパターン形成されたストリップ又は波形部が用いられた場合には、色又はパターンは、通常は吸収体物品に関連しない色又はパターンとすることができ、それは、ユーザの注意を第２パネル６６及び第２パネルに関連する開口部に引き付けることができる。例えば、婦人用ケア吸収体物品においては、色は、オレンジ色といった鮮やかな色とすることができる。感覚的表示はさらに、第２パネル及び第１パネルの一方又は両方に適用された付加的な別の材料部品を含むことができる。さらに、第１パネル及び第２パネルの第２部分は、同一のものにする（同じパターン及び／又は色）ことができるが、第１パネルの第１部分は、感覚的表示を与えるために第２パネルを通して見ることができる異なる色又はパターンである。例えば、一実施形態においては、感覚的表示は、第２パネルを第１パネルに接着するために用いられる着色された接着剤によるものとして構成される。接着剤は、比較的透けて見える第２パネルを通して見ることができる。
【００４８】
感覚的表示は、第２パネル６６又は第１パネル部分６４のみに制限されない。両方とも感覚的表示を有することができる。図６を参照すると、第２パネル６６は第１の感覚的特性９０を有し、パネル部分６４は第２の特性表示９１を有する。第１及び第２の感覚的特性９０、９１の両方は、自由縁５４に向けられ、そこで終わる感覚的表示をもたらす。本発明の別の態様においては、感覚的表示は、吸収体物品の要素の上に設けられ、ラップ構成材として透明な材料を用いることができる。例えば、感覚的表示がラップ構成材の開口部の位置についての指示を与えるという条件で、感覚的表示は、吸収体物品の剥離ストリップ又はバックシート上に、或いは吸収体物品のその他の部分に設けることができる。
【００４９】
図５Ａ及び図５Ｂに示されたさらに別の実施形態においては、材料のラップ構成材ウェブ７８に、材料が暗くなる（Ｄ）第１の側７５から材料が明るくなる（Ｌ）第２の側７３への横方向７９の色のグラデーション又は色あせが与えられる。材料ウェブ７８が機械方向７７に移動するのに伴って、折りたたまれた製品構成材、例えば三つ折りの婦人用パッドが材料ウェブ７８にあてられる。ウェブ７８は、次いで製品構成材の周りで折りたたまれ、第１側７５は第１パネルに重なる外部の自由縁５４を形成し、第２側７３から離間されて内部の自由縁５６を形成する。或いは、明るい側は外部の自由縁を形成し、暗い側は内部の自由縁を形成する。横方向７９の側部シールが、折りたたまれたウェブに連続的に適用され、次いで、ウェブが側部シールで切断されて、複数の別個のパーソナルケア製品を形成する。
色のグラデーションは、どこに折り目６０が形成されるかに関係なしに、暗い端部７５と明るい端部７３との間の対比が感覚的表示を与えるという処理の利点をもたらす。このようにして、色又はパターンが折り目で終わる実施形態とは対照的に、色のグラデーションは折り目６０を形成するための寛容さを与える。色のグラデーションに加えて、段階的なエンボス・パターンを用いることもできる。
【００５０】
別の実施形態においては、第２パネル６６及び第１パネル６４は、それぞれ１つの色であり、重ねられたときに第３の色を形成する。感覚的表示は、自由縁に隣接する第２パネル又は第１パネル上に配置されたライン又は断続的パターンを含むことができる。感覚的表示を形成するパターンは、第２パネル又は第１パネルの長さの一部に沿って、又はその全体に沿って延びることができ、その幅にわたって変化することができる。もちろん、感覚的表示は多くの形態をとることができ、色、パターン、陰影付けなどの種々の組み合わせを含むことができることを理解されたい。
別の実施形態においては、第１パネルと第２パネルは同じ色及び／又はパターンを有することができるが、第２パネルは、第１部分及び第１部分に重なる第２パネルの部分の組み合わされた厚さが第２部分とは異なる外観を有するように少なくとも部分的にシースルーにされる。例えば、第１部分に重なる第２パネルの部分と第１部分との組み合わされた厚さは、第１パネルの第２部分より暗く見え、それにより自由縁に向けられた感覚的表示を与える。
【００５１】
別の実施形態においては、第２パネル及び／又は第１パネルの特性は、第１パネル及び第２パネルとは異なる材料を用いて、異なる材料をラップ材料に、又はラップ材料と同じであるが、色、形状、パターンなどの異なる特性を有する材料に取り付けることによって修正することができる。１つの特定の実施形態においては、取り付けられた材料は第２パネルに取り付けられ、材料は上述のＶ字形状を有する。材料片をＶ字形状又は他の形状を有する第２パネルに取り付けることによって、形付けされた第２パネルを形成することに関連する問題を緩和することができる。他の方法は、第２パネル及び第１パネルに異なる材料を用いることを含む。第２パネルが独立した別個の材料である場合には、上部縁は、側部縁とともに互いに結合される必要がある。さらに別の実施形態においては、バックパネル、第１パネル及び第２パネルの各々は、別個の材料から用意することができる。
或る実施形態においては、感覚的表示は、視覚的表示及び触覚的表示の一方又は両方を含むことができる。例えば、第２パネルは、触覚的表示を形成するために、下にあるパネルとは異なるテクスチャを有することができる。或る実施形態においては、触覚的表示は、エンボス加工又は異なるエンボス加工によって形成される。同様に、第２パネル又は第１パネルの一方又は両方に適用された別個の材料片は、その他のものとは異なるテクスチャ又は感触を有することができ、それにより自由縁の位置についての触覚的表示を与える。
【００５２】
一実施形態においては、感覚的表示は、第１パネル上に配置され、自由縁に向けられて、どこにユーザの手をおくと手を入れて第２パネルを持ち上げることができるかについての指示をユーザに提供する。別の実施形態においては、感覚的表示は、手を置くべき場所とは反対の第２パネル上に配置される。いずれの場合にも、感覚的表示は、自由縁の位置の指示を与えることができるが、どこにユーザの手をおくべきかの指示も与える。
図７に示された別の実施形態においては、感覚的特性９０及び９１の各々は、図示のように異なる色であり、自由縁５４の両側に配置される。この実施形態においては、第２パネル６６及び第１パネル６４上の感覚的特性は、自由縁５４の各側において終わる。したがって、図１０Ａ及び図１０Ｂとは異なり、自由縁５４は、ユーザに容易に見え、感覚的特性９０及び９１の中間に配置される。したがって、感覚的表示が提供される。一実施形態においては、感覚的表示（Ｌｖｃ）の長さは、製品の全長（Ｌｐ）の約３３％より短く、自由縁５４は、感覚的表示の適用範囲内に配置される。別の実施形態においては、Ｌｖｃは、Ｌｐの約２５％より短く、より望ましくはＬｐの約１０％より短い。
【００５３】
図２Ａ及び図２Ｃ、並びに図３Ａ−図３Ｊを参照すると、使用時に、ユーザは、感覚的（視覚的又は触覚的）表示９０を用いて、ラップ構成材５０の自由縁を見つけ出す。次いで、ユーザは、第２パネル６６の自由縁５４をつかみ、ラップ構成材を開いて、パーソナルケア製品構成材にアクセスする。ユーザは、製品構成材を取り外し、ラップ構成材を廃棄することができる。
本発明の別の態様においては、感覚的特性は、ラップ構成材を開くために自由縁を動かす方向を伝えることによってユーザを支援するような方法で選択することができる。これについては、第２パネル又は第１パネルに多くの技術を適用して、ラップ材を開くために自由縁を動かす方向をユーザに示す一助とすることができる。これらの方法の幾つかは、図３Ｃ、図３Ｄ、図３Ｉ、図３Ｊ、及び図６の説明において上述されている。上述のように、封筒形は、第２パネルの位置から第２パネルを持ち上げることによってシールされ及びシールされていない封筒の両方を開くことの生活上での経験に関連している。他の方法を同様に用いることができる。１つの方法は、或る程度の深さをラップ構成材に与えることである。これに関しては、再び図３Ａ、図３Ｅ及び図３Ｆを参照する。深さを与えるために、図３Ａに示された第２パネル６６上の感覚的特性９０のパターンは、隆起したパターンとすることができる。パターンが隆起しているときには、第２パネル６６は、ユーザが第１パネル６４より前にあると感じる。したがって、したがって、感覚的特性９０は、自由縁５４の位置についての感覚的表示を与えるだけでなく、感覚的特性はまた、第２パネル６６が第１パネル６４より前にあることを伝える。この情報を備えているので、ユーザは、第２パネル６６を第１パネル６４から遠ざかる方向に動かすことによってラップ構成材を開くように示される。同様の方法で、図３Ｅに示されたものと同様に、第１パネル６４上の凹部パターン及びパターン形成されていない第２パネル６６は、第１パネル６４が第２パネル６６の下に又は後ろにあることをユーザに伝える。他の技術は、図３Ｆに示されるように、第１パネル６４上の凹部パターン及び第２パネル６６上の凸部パターンを有することを含む。さらに、第２パネル６６上にエンボス・パターンを有し、第１パネル６４にはエンボス加工しないことにより、滑らかな表面を有する第１パネル６４がもたらされる。一般に、図３Ａに示すように、第２パネル６６にエンボス加工し、第１パネル６４にはエンボス加工しないことにより、粗い（滑らかでない）表面と滑らかな表面が対比されたときに、ユーザは、彼らの手を滑らかでない表面に沿って滑らせるのではなく、彼らの手を第１パネル６６の滑らかな表面に沿って滑らせて、自由縁５４を見つけ出す傾向がある。したがって、滑らかな表面とエンボス加工された表面は、ユーザにラップ構成材の開け方を伝えるように働く。
【００５４】
深さと、ラップ構成材の開け方についての感覚的表示をユーザに与えることはまた、色を用いて達成することができる。再び図３Ｂに注意が向けられる。第２パネル６６に暖色（例えば、赤、黄、橙）を与え、第２パネルに寒色（青、紫又は緑）を与えることによって、ユーザは、第２パネル６６が第１パネル６４より前にあると感じる。また、第２パネル６６がユーザによって第１パネル６４より前にあると感じられた場合には、ユーザにラップ構成材の開け方についての感覚的表示が与えられる。
ラップ材の開け方をユーザに伝えるための他の技術を用いることもできる。この１つの例が図１１に与えられている。図１１は、第２パネル６６の自由縁５４で終わる感覚的特性９０を有する第１パネル６４を示す。感覚的特性は、部分的に遮断するように見える馴染みのある形状を有する。１つの形状は、特に半円形であるが、他の形状を用いることもできる。一般に、形状は、第２パネル６６又は第１パネルの残りの部分の色より暗い又は冷たい色から用意され、陰のような効果を与える。色は、上述の技術のいずれかを用いて第１パネル上に与えることができる。したがって、色及び半円形の形状の感覚的特性９０の組み合わせの感覚的表示がユーザに与えられ、感覚的表示は、自由縁を定め、ラップ構成材の開け方についての情報をユーザに与える。
【００５５】
図１２は、ラップ構成材の自由縁５４の開け方及び見つけ方を示すためのさらに別の技術を示す。図１２に示された技術を介在と呼ぶ。介在は、１つの物体が別の物体の外形を部分的に覆い又は重なるときにもたらされる２つの物体の相対的な距離を区別するための感覚的表示を説明するのに用いられる用語である。図１２においては、第１パネル６４上にライン２１４が印刷され又はその他の手法で与えられ、ラインが第２パネル６６の後ろに見えるような形で第２パネル６６がライン２１４に重なる。したがって、第２パネル６６及び自由縁５４がライン２１４より前にあると識別したユーザに感覚的表示が与えられる。別の言い方をすれば、ユーザは、第２パネルの方がライン２１４より近くにあると感じる。したがって、第２パネル６６は、第１パネル６４より前にあるように見える。
【００５６】
吸収体物品は、多くの異なる方法でラップ構成材の中に配置することができる。吸収体物品は、折りたたまれていないラップ材上で折りたたまれ、配置され、ラップ構成材は、ラップ材を吸収体物品の周りでポーチ状の構成に折りたたむことによって形成される。上述のような別の方法においては、ラップ材及びポーチ材は、互いに折りたたむことができる。ラップ材と吸収体物品は、機械方向に位置合わせし、同時に折りたたむことができる。ラップ材／吸収体物品の組み合わせを形成するために使用可能な他の方法は、例えば、吸収体物品をラップ材にわたって配置して、ラップ材又は吸収体物品の一方が機械方向に位置合わせされ、他方が機械横方向に位置合わせされるようにすることと、吸収体物品をラップ材上に折りたたむことと、ラップ材を吸収体物品のまわりに折りたたむことを含む。
【００５７】
上記の説明においては、通常、ラップ構成材内に単一の吸収体物品が存在していることを説明し、意味している。しかしながら、本発明のラップ構成材の各々に複数の吸収体物品が存在することは、本発明の範囲内である。
本発明のラップ構成材を開いて、ラップ構成材の中に配置されたパーソナルケア製品にアクセスするために、ラップ材上に設けられた感覚的表示を用いて、第２パネルの自由縁を見つけ出し、ラップ構成材が開かれてラップ材の中に配置されたパーソナルケア製品構成材がラップ材から取り出されるような方法で第２パネルを操作する。第２パネルを操作することは、通常は、ユーザの指で第２パネルをつかんで、第２パネルを第１パネルから遠ざかる方向に上向きに引っ張ることを含む。穿孔をもつ第２パネルといった或る構成においては、第２パネルは、ラップ構成材の側部シームから遠ざかる方向に引き裂くことができる。
【００５８】
特に上述されない他の実施形態はまた、自由縁の位置についての感覚的表示をユーザに与えるために用いることができる。例えば、感覚的表示は、吸収体物品上に、例えば、吸収体物品のバッフル又は衣類対向側に与えることができる。これは、透明感のあるラップ材を用いることを可能にする。さらに、ラップ材の自由縁を、ラップ構成材の上部６０又は底部５８に配置することができる。
本発明は、種々の実施形態を参照しながら説明されたが、当業者であれば、本発明の精神及び範囲から逸脱することなく、形式及び細部に変更を加えることが可能であることを理解するであろう。したがって、上記の詳細な説明は、限定するものではなく説明するものと解釈されることを意図され、本発明の範囲を定めることを意図されているのは、全ての均等物を含む添付の請求項である。
【図面の簡単な説明】
【００５９】
【図１】一部が部分的に切り取られている、例示的なパーソナルケア製品構成材の身体側の平面図である。
【図２Ａ】折りたたまれた状態のパーソナルケア製品構成材と共に、開いた状態のラップ構成材の斜視図である。
【図２Ｂ】広げられている状態のパーソナルケア製品構成材と共に、開いた状態のラップ構成材の斜視図である。
【図２Ｃ】部分的に折りたたまれた状態のパーソナルケア製品構成材と共に、部分的に開いた状態のラップ構成材の斜視図である。
【図３Ａ】種々のラップ構成材の平面図である。
【図３Ｂ】種々のラップ構成材の平面図である。
【図３Ｃ】種々のラップ構成材の平面図である。
【図３Ｄ】種々のラップ構成材の平面図である。
【図３Ｅ】種々のラップ構成材の平面図である。
【図３Ｆ】種々のラップ構成材の平面図である。
【図３Ｇ】種々のラップ構成材の平面図である。
【図３Ｈ】種々のラップ構成材の平面図である。
【図３Ｉ】種々のラップ構成材の平面図である。
【図３Ｊ】種々のラップ構成材の平面図である。
【図４】図示するために誇張された、端部における種々の寸法及び割合を有する、ラップ構成材の一実施形態の概略的断面図である。
【図５Ａ】広げられた状態のラップ構成材材料の一実施形態の平面図である。
【図５Ｂ】折りたたまれた状態の図５Ａに示されたラップ構成材材料の平面図である。
【図６】ラップ構成材の別の実施形態の平面図である。
【図７】ラップ構成材の別の実施形態の平面図である。
【図８】色合い、明るさ及び彩度／鮮明さの概略的なグラフ図である。
【図９Ａ】図示するために誇張された、端部における種々の寸法及び割合を有する、ラップ構成材の一実施形態の概略的断面図である。
【図９Ｂ】図９Ａに示された実施形態の平面図である。
【図９Ｃ】本発明の別の実施形態の正面図である。
【図１０Ａ】閉鎖された状態の従来技術のラップ構成材を示す図である。
【図１０Ｂ】閉鎖された状態の従来技術のラップ構成材を示す図である。
【図１１】ラップ構成材の開け方の感覚的表示を与える本発明の別の実施形態を示す図である。
【図１２】ラップ構成材の開け方の感覚的表示を与える本発明の別の実施形態を示す図である。
【図１３Ａ】折りたたまれた状態のラップ構成材材料の一実施形態の平面図を示す。
【図１３Ｂ】折りたたまれた状態のラップ構成材材料の一実施形態の平面図を示す。
【図１３Ｃ】折りたたまれた状態のラップ構成材材料の一実施形態の平面図を示す。
【図１】
2007521117.tif 000003
【図２Ａ】
2007521117.tif 000004
【図２Ｂ】
2007521117.tif 000005
【図２Ｃ】
2007521117.tif 000006
【図３Ａ】
2007521117.tif 000007
【図３Ｂ】
2007521117.tif 000008
【図３Ｃ】
2007521117.tif 000009
【図３Ｄ】
2007521117.tif 000010
【図３Ｅ】
2007521117.tif 000011
【図３Ｆ】
2007521117.tif 000012
【図３Ｇ】
2007521117.tif 000013
【図３Ｈ】
2007521117.tif 000014
【図３Ｉ】
2007521117.tif 000015
【図３Ｊ】
2007521117.tif 000016
【図４】
2007521117.tif 000017
【図５Ａ】
2007521117.tif 000018
【図５Ｂ】
2007521117.tif 000019
【図６】
2007521117.tif 000020
【図７】
2007521117.tif 000021
【図８】
2007521117.tif 000022
【図９Ａ】
2007521117.tif 000023
【図９Ｂ】
2007521117.tif 000024
【図９Ｃ】
2007521117.tif 000025
【図１０Ａ】
2007521117.tif 000026
【図１０Ｂ】
2007521117.tif 000027
【図１１】
2007521117.tif 000028
【図１２】
2007521117.tif 000029
【図１３Ａ】
2007521117.tif 000030
【図１３Ｂ】
2007521117.tif 000031
【図１３Ｃ】
2007521117.tif 000032
【国際調査報告】
2007521117.tif 000033
2007521117.tif 000034
2007521117.tif 000035
2007521117.tif 000036